(57)【要約】【課題】設置位置が高くても、内部に収めた収納物が見えやすく且つ外観が良好で簡単に引出し可能とする吊り戸棚を提供するものである。【解決手段】底板のない箱状の吊り戸棚本体１の内側面２に少なくとも二対以上の相対向するレール部３ａ、３ａ及び３ｂ、３ｂを設け、該レール部３ａ、３ａ及び３ｂ、３ｂに引出し本体４の両外側面５ａ、５ａに前記レール部３ａ、３ａ及び３ｂ、３ｂをスライドする突出体６を設けるとともに該引出し本体４の前板７と底板８が透明材質で形成した引出し９をスライド自在に設けたものである。【選択図】　　　　図１
2004049296.tif 000002
【特許請求の範囲】
【請求項１】
底板のない箱状の吊り戸棚本体の内側面に少なくとも二対以上の相対向するレール部を設け、該レール部に引出し本体の両側面に前記レール部をスライドする突出体を設けるとともに該引出し本体の前板と底板が透明材質で形成した引出しをスライド自在に設けたことを特徴とする吊り戸棚。
【請求項２】
上記前板と底板が透明の引出しが複数段設けられ、突出体を滑車にしたことを特徴とする請求項１記載の吊り戸棚。
【請求項３】
上記引出しの表面側に透明又は半透明材質で形成した前扉を開閉自在となるように設けたことを特徴とする請求項１又は請求項２記載の吊り戸棚。
【請求項４】
上記透明又は半透明材質で形成した前扉が蝶番によって開閉自在としたことを特徴とする請求項３記載の吊り戸棚。
【発明の詳細な説明】
【０００１】
【発明の属する技術分野】
本発明は、システムキッチン等の流し台上に、設置される吊り戸棚（ウォールユニット）に関し、収納物の出し入れの簡便な吊り戸棚に関するものである。
【０００２】
【従来の技術】
図６において、実用新案登録番号第３０１６２７５号の床置きタイプの合成樹脂製引出し式整理棚２０のように、前柱２１と後柱２２とを立設した矩形のベース部２３に内部の収納物が視認可能な引出し２４を載置し、引出し２４を出し入れ自在にしたものである。
【０００３】
しかしながら、上記従来例のような構造のものを、キッチンの上に吊り戸棚として配設しても、この吊り戸棚の収納物は、底板があるために下方から視認できにくいという問題があった。また、吊り戸棚として用いた場合に、前面に設けられている引出しの把手が見えるために外観上醜くなってしまうという問題があった。
【０００４】
さらに、図７のような合板等の木製品でできた前面開口の箱体の中に棚板２５を設けるとともに開閉自在の前扉２６を設けた吊り戸棚２７が汎用されていた。このような、木製の箱体でできた吊り戸棚２７は、前方及び下方から見ても収納物を見ることができなかった。
【０００５】
【発明が解決しようとする課題】
本発明は上記問題点の解決を目的とするものであり、設置位置が高くても、内部に収めた収納物が見えやすく且つ外観が良好で簡単に引出し可能とする吊り戸棚を提供するものである。
【０００６】
【課題を解決するための手段】
本発明の請求項１記載の吊り戸棚は、底板のない箱状の吊り戸棚本体の内側面に少なくとも二対以上の相対向するレール部を設け、該レール部に引出し本体の両外側面に前記レール部をスライドする突出体を設けるとともに該引出し本体の前板と底板が透明材質で形成した引出しをスライド自在に設けたことを特徴とするものである。
【０００７】
したがって、設置位置が高くても、内部に収めた収納物が見えやすく且つ外観が良好で簡単に引出しが可能となるものである。
【０００８】
本発明の請求項２記載の吊り戸棚は、請求項１記載の前板と底板が透明の引出しが複数段設けられ、突出体を滑車にしたことを特徴とするものである。
【０００９】
したがって、設置位置が高くても、内部に収めた収納物が見えやすく、滑車により滑り抵抗がないので、重量物が収納されていても簡単に引出しの開閉が可能となるものである。
【００１０】
本発明の請求項３記載の吊り戸棚は、請求項１又は請求項２記載の引出しの表面側に透明又は半透明材質で形成した前扉を開閉自在となるように設けたことを特徴とするものである。
【００１１】
したがって、前方から引出しの把手が見えにくくなるとともに突出していないので、前方からの外観が良好となる。
【００１２】
本発明の請求項４記載の吊り戸棚は、請求項３記載の透明又は半透明材質で形成した前扉が蝶番によって開閉自在としたことを特徴とするものである。
【００１３】
したがって、前方から前扉の開閉が簡単にできるので引出しの覆いができ、外観が良好となる。
【００１４】
【発明の実施の形態】
図１乃至図５に示したように、本発明の一実施形態に係わる吊り戸棚であって、以下に説明する。
【００１５】
吊り戸棚Ａは、木製や合成樹脂製或いは木製と合成樹脂製との組み合わせにより形成された底板のない箱状の吊り戸棚本体１の内側面２に少なくとも二対以上の相対向するレール部３ａ、３ａ及び３ｂ、３ｂを設け、このレール部３ａ、３ａ及び３ｂ、３ｂに引出し本体４の両外側面５ａ、５ａに前記レール部３ａ、３ａ及び３ｂ、３ｂをスライドする突出体６を設けるとともにこの引出し本体４の前板７と底板８が透明材質で形成された引出し９をスライド自在に設けたものである。
【００１６】
このとき、引出し本体４の両外側面５ａ、５ａに設けられている突出体６は、吊り戸棚本体１の内側面２に設けられている少なくとも二対以上の相対向するレール部３ａ、３ａ及び３ｂ、３ｂに挿着され、ころがり摩擦や滑り摩擦からなる滑車からなるものである。
【００１７】
さらに、この吊り戸棚本体１の外側に複数個の引出し９、９が装着された後で、これらの引出し９、９の前面７が被覆されるように透明又は半透明な材質で形成された前扉１０を蝶番１１によって開閉自在となるようにしたものである。
【００１８】
尚、この吊り戸棚Ａは、天井面に配設されたレールによって上端を懸垂するようにしたり、上板を釘で固着したりして固定するものである。
【００１９】
以下、図１乃至図５に基づいて、本発明の一実施例について説明する。
図１は，吊り戸棚で引出しを外した状態の斜視図、図２は、引出しの斜視図、図３は、吊り戸棚本体に引出しを装着した状態を示す斜視図、図４は、図３のＸ−Ｘ縦断面図、図５は、吊り戸棚本体と引出しとの連結状態を示す要部の縦断面図である。
【００２０】
図１において、吊り戸棚Ａの外枠は、木製や合成樹脂製でできた底板のない箱状の吊り戸棚本体１の内側面２に少なくとも二対以上の相対向するレール部３ａ、３ａ及び３ｂ、３ｂを設け、この引出し９の表面側に透明又は半透明材質で形成した前扉１０を蝶番１１によって開閉自在となるように組み立てている。この吊り戸棚Ａの外枠に設けたこレール部３ａ、３ａ及び３ｂ、３ｂに、図２に示した引出し本体４の両外側面５ａ、５ａに、レール部３ａ、３ａ及び３ｂ、３ｂをスライドするように車輪形式の滑車を螺子で固着した突出体６を設けた引出し９，９をスライド自在に挿着している。尚、この引出し本体４の前板７と底板８が透明材質で形成した引出し９をスライド自在に設けたものである。尚、この引出し９の前板７の下方には、略Ｌ字状をした把手１２が接着やビス等により固着され、この把手１２を引くことで引出し９が開くようになっている。
【００２１】
したがって、本発明の吊り戸棚Ａをキッチンの上方に設置しても、前扉１０を開けた状態では、前方の引出し９の透明な前板７及び下方から吊り戸棚Ａを見上げれば引出し９の透明な底板８から収納部が視認できるので、使い勝手が良好である。又、引出し９を把手１２を持って、閉めた状態で前扉１０を閉めた状態にしておいても、引出し９を把手１２が透けない程度に不透明な材質にしておくことにより、前方から前扉１０を見ても収納物が視認しにくいので外観が良好となる。このとき、前扉１０を透明にしておけば、引出し９の前板７を介して収納物を見ることが可能となる。又、引出し９の把手１２が前扉１０の閉状態にあっては、この把手１２が被装されるので、スッキリとした外観になる。
【００２２】
さらに、吊り戸棚本体１の内部に底板及び棚板を設ける変わりに内側面２に少なくとも二対以上の相対向するレール部３ａ、３ａ及び３ｂ、３ｂを設けているので、底板部材や棚板部材が不要となり、経済的である。又、引出し９の滑車を螺子で固着した突出体６が、戸棚本体１のレール部３ａ、３ａに挿着されてスライド自在になっているので、引出し９の開閉が重量物を収納しても簡単に開閉できるものである。そして、前扉１０によって、引出し９の前面を被覆するのでスッキリした外観となる。又、この前扉１０は、蝶番１１によって開閉自在となるので引出し９の目隠しが簡単に可能となる。
【００２３】
【発明の効果】
上述の如く、本発明の請求項１記載の吊り戸棚は、底板のない箱状の吊り戸棚本体の内側面に少なくとも二対以上の相対向するレール部を設け、このレール部に引出し本体の両外側面に前記レール部をスライドする突出体を設けるとともにこの引出し本体の前板と底板が透明材質で形成した引出しをスライド自在に設けているので、設置位置が高くても、内部に収めた収納物が見えやすく且つ外観が良好で簡単に引出しが可能となるものである。
【００２４】
本発明の請求項２記載の吊り戸棚は、前板と底板が透明の引出しが複数段設けられ、突出体を滑車にしているので、設置位置が高くても、内部に収めた収納物が見えやすく、滑車により滑り抵抗がないので、重量物を収納しても簡単に引出しの開閉が可能となるものである。
【００２５】
本発明の請求項３記載の吊り戸棚は、引出しの表面側に透明又は半透明材質で形成した前扉を開閉自在となるように設けているので、前方から引出しの把手が見えにくくなるとともに突出していないので、前方からの外観が良好となる。
【００２６】
本発明の請求項４記載の吊り戸棚は、透明又は半透明材質で形成した前扉が蝶番によって開閉自在としているので、前方から前扉の開閉が簡単にできるので引出しの覆いができ、外観が良好となる。
【図面の簡単な説明】
【図１】本発明の一実施例に係わる吊り戸棚で引出しを外した状態の斜視図である。
【図２】本発明の一実施例に係わる引出しの斜視図である。
【図３】本発明の吊り戸棚本体に引出しを装着した状態を示す斜視図である。
【図４】本発明の一実施例に係わる図３のＸ−Ｘ縦断面図である。
【図５】本発明の一実施例に係わる吊り戸棚本体と引出しとの連結状態を示す要部の縦断面図である。
【図６】従来の合成樹脂製引出し式整理棚の全体を示す概略の斜視図である。
【図７】従来のウォールユニットの全体を示す概略の斜視図である。
【符号の説明】
Ａ　　　吊り戸棚
１　　　戸棚本体
２　　　内側面
３　　　レール部
４　　　引出し本体
５　　　外側面
６　　　突出体
７　　　前板
８　　　底板
９　　　引出し
１０　　前扉
１１　　蝶番
１２　　把手
【図１】
2004049296.tif 000003
【図２】
2004049296.tif 000004
【図３】
2004049296.tif 000005
【図４】
2004049296.tif 000006
【図５】
2004049296.tif 000007
【図６】
2004049296.tif 000008
【図７】
2004049296.tif 000009